(57)【要約】【課題】市販の光ファイバ用被覆層剥離器の使用が可能で、光ファイバを水平に引き抜くことができるようにする。【解決手段】前後に長いホルダフレーム３の前端側に光ファイバ用被覆層剥離器１５が着脱自在に固定セット可能な装着セット部５を設ける一方、前記ホルダフレーム３に沿って前記にスライド可能なスライド可動体７に、光ファイバ用被覆層剥離器１５にセットされた光ファイバ２９を水平に支持する前後一対のファイバ支持部材２３と、そのファイバ支持部材２３によって支持された光ファイバ２９を前記スライド可動体７の上面とにより上下に挟みつけるスライド可動体移動用の上方押圧操作部２５と、ホルダフレーム３の底面に配置されたスライド可動体移動用の下方操作部３３とを設ける構造とする。【選択図】図１
2005208487.tif 000002
【特許請求の範囲】
【請求項１】
片手で持てる大きさに形成された前後に長いホルダフレームと、そのホルダフレームの前端側に設けられ光ファイバ用被覆層剥離器が着脱自在に固定セットされる装着セット部と、前記ホルダフレームに沿って前後にスライド可能なスライド可動体と、そのスライド可動体の上面に設けられ前記光ファイバ用被覆層剥離器にセットされた光ファイバを水平に支持する前後一対のファイバ支持部材と、前記スライド可動体に固定支持され、前記ファイバ支持部材によって支持された光ファイバを前記スライド可動体の上面とにより上下に挟みつけるスライド可動体移動用の上方押圧操作部と、前記ホルダフレームの底面に配置され前記スライド可動体と一緒に前後にスライド自在に支持されたスライド可動体移動用の下方操作部とからなることを特徴とする光ファイバ引抜き装置。
【請求項２】
光ファイバ用被覆層剥離器は市販品であることを特徴とする請求項１記載の光ファイバ引抜き装置。
【発明の詳細な説明】
【技術分野】
【０００１】
本発明は、光ファイバ端末部の被覆層を剥離するのに適する光ファイバ引抜き装置に関する。
【背景技術】
【０００２】
光ファイバを例えば、光通信に係わる機器類に接続する際に、光ファイバ端末部の被覆層を剥離し、ファイバ芯線（ガラスファイバ）を露出させるようにしている。
【０００３】
光ファイバ端末部の被覆層を剥離するには、取扱いが容易なうえに安価で作業性に優れる市販の光ファイバ用被覆層剥離器を用いている。
【０００４】
光ファイバ用被覆層剥離器の概要は、片手で持てる大きさのホチキスタイプに作られていて、回動軸を支点として上下に回動可能な上方アーム部と下方アーム部とに対向し合う上下一対のカッタ刃がそれぞれ設けられ、上方アーム部と下方アーム部をとじ合せることで上下のカッタ刃を光ファイバ端末部の被覆層に喰い込ませることで切れ目を入れるようになっている。
【０００５】
したがって、端末部の被覆層に切れ目が入れられた光ファイバをもう片方の手で強制的に引き抜くことで切れ目から被覆層が剥離されファイバ芯線が露出するようになる。
【０００６】
この作業は、光ファイバ用被覆層剥離器を片手で持ち、もう片方の手で光ファイバの引き抜きが行なわれるが、この時に力を入れて引き抜くことに加えて自由空間で行うため水平に引き抜くことが難しく、角度がついた状態で引き抜かれるのが現状となっている。
【０００７】
この時、角度をつけて光ファイバを引き抜くと断線が多く発生することが知られている。その理由の１つに光ファイバの被覆層が剥離される時にそのファイバ芯線が前方のファイバ支持部材に強くこすられることがあげられる。
【０００８】
特に、ファイバ支持部材は、切れ目を入れるカッタ刃の前後に位置し、ファイバ支持部はＶ溝に形成されているところから、角度がつくとそのＶ溝から折れ曲がり、その溝壁に強く接触し合うようになる。この接触圧は角度に比例して高くなり強くこすられることでファイバ芯線に傷がつくものと考えられる。
【０００９】
そこで、引き抜き角度と強度との関係を以下の方法で調査した結果を図８に示す。
【００１０】
図８の強度は曲げ破断強度（以下、強度）で評価した。この評価にあたって図７に示すように図示しない光ファイバ用被覆層剥離器先端を基準にした垂線Ｘを引き、それと直角に交わる線を０度として下方向に５，１０，２０，３０度の線を順次引いた定規と、直径４．４ｍｍのマンドレル（図示していない）を用意する一方で、ファイバ芯線１０１の長さが２５ｍｍとなるように光ファイバ用被覆層剥離器（図示しない）に光ファイバ端末部１０３をセットし各定規の角度に沿って引き抜いた各角度ごとのサンプルを得る（図６）。続いて、露出させたファイバ芯線１０１を図示しない４．４ｍｍφのマンドレルの外周に前記ファイバ芯線１０１にかかる曲げ歪みが約２．８％に相当する力で巻きつけ、一周させた時の破断の有無を観察したものである。（断線率＝破断本数／サンプル数×１００）
この結果、曲げ角度が５度以内では断線は発生しないが１０度以上ではその角度に比例して断線が増加することがわかる。この断線が増加する原因は角度がついた状態で引き抜いたときに溝壁によってこすられて発生した微細な傷によるものと考えられるので光ファイバの引き抜き角度を５度以内に抑えることが求められる。
【００１１】
このため、光ファイバをほぼ水平に引き抜く光ファイバ端末処理機が提案されているが、この光ファイバ端末機は、主ランプ器とその主ランプ器に対して案内部材により前進、後退可能な補助ランプ器とから成る構造が複雑な専用の光ファイバ端末処理機となっている。
【特許文献１】特開平５−３２３１２６号公報
【発明の開示】
【発明が解決しようとする課題】
【００１２】
光ファイバ端末処理機は、光ファイバを水平に引き抜く点では問題はないものの、構造が複雑な専用機となっているため、１台あたりの製造コストが高くなる。コストの面を考えると製造単価は安い方が望ましい。
【００１３】
そこで、本発明は、市販の端末処理機となる光ファイバ用被覆層剥離器を使用できる構造が簡単な光ファイバ引抜き装置を提供することを目的としている。
【課題を解決するための手段】
【００１４】
前記目的を達成するために、本発明にあっては、片手で持てる大きさに形成された前後に長いホルダフレームと、そのホルダフレームの前端側に設けられ光ファイバ用被覆層剥離器本体が着脱自在に固定セットされる装着セット部と、前記ホルダフレームに沿って前後にスライド可能なスライド可動体と、そのスライド可動体の上面に設けられ前記光ファイバ用被覆層剥離器本体にセットされた光ファイバを水平に支持する前後一対のファイバ支持部材と、前記スライド可動体に固定支持され、前記ファイバ支持部材によって支持された光ファイバを前記スライド可動体の上面と下面とにより上下に挟みつけるスライド可動体移動用の上方押圧操作部と、前記ホルダフレームの底面に配置され前記スライド可動体と一緒に前後にスライド自在に支持されたスライド可動体移動用の下方操作部とからなることを特徴とする。
【発明の効果】
【００１５】
本発明の光ファイバ引抜き装置によれば、主要な構成要素はホルダフレームとそのホルダフレームに沿ってスライド可能なスライド可動体で済むため、装置全体は製造コストが安くシンプルな構造にできる。
【００１６】
また、装着セット部を利用することで各種光ファイバ用被覆層剥離器の使用ができる。
【００１７】
一方、片方の手で光ファイバ用被覆層剥離器を持ち、もう片方の手の指で上方押圧操作部と下方操作部を押え、スライド可動体を後方へスライド移動させることで、容易に光ファイバを水平に引き抜くことができるため、光ファイバを傷付けることなく被覆を除去することができる。
【発明を実施するための最良の形態】
【００１８】
光ファイバ端末部の被覆層を剥離する光ファイバ用被覆層剥離器は市販品のものを使用する。
【実施例１】
【００１９】
図１はこの発明にかかる光ファイバ引抜き装置の概要切断側面図を示している。
【００２０】
光ファイバ引抜き装置１は、前後に長いホルダフレーム３に装着セット部５とスライド可動体７が設けられた構造となっている。
【００２１】
ホルダフレーム３は、図４に示すように底面９とその底面９の両サイドから立上がる両側面１１，１１とにより前後（図１左右方向）に長い断面Ｕ字状に作られている。両側面１１の内側には長手方向に沿って左右一対のガイドレール１３が設けられている。
【００２２】
装着セット部５は、後述するホチキスタイプに作られた市販の光ファイバ被覆層剥離器１５が着脱自在に固定セットできるようにホルダフレーム３の底面９を残して前端側両側面１１を所定の領域にわたってカットすることで形成されている。
【００２３】
装着セット部５の底面９には、取付けボルト１７によって光ファイバ用被覆層剥離器１５を固定セットするための締結孔１９が設けられている。
【００２４】
スライド可動体７は、上面７ａ、下面７ｂ、両側面７ｃからなる角筒体に形成され、両側面７ｃに設けられたガイド溝２１は、前記ホルダフレーム３のガイドレール１３と係合し合ことでそのガイドレール１３に沿って前後のスライド移動（図１矢印イ）が可能となっている。
【００２５】
スライド可動体７の上面７ａには、前後一対のファイバ支持部材２３，２３と、上方押圧操作部２５がそれぞれ設けられている。前後一対のファイバ支持部材２３は、スライド可動体７の上面７ａから垂直に立上がる板状の形状となっていて、その上端縁にはＶ溝２７が設けられている。Ｖ溝２７は図３に示すように２種類の径の異なる光ファイバ２９に対応できるよう並列に配置され、光ファイバ２９を水平に両端保持すると共に動くことがないよう位置決めする機能を備えている。
【００２６】
上方押圧操作部２５は、ヒンジ３１を支点として押圧挟持状態（図５）と挟持待機状態（図４）とに回動自在で、挟持待機状態（図４）の時、ファイバ支持部材２３への光ファイバ２９のセットが可能となっている。
【００２７】
また、上方押圧操作部２５が押圧挟持状態（図５）の時、その上面に例えば人差指及び中指を、後述する下方操作部３３に親指をそれぞれかけて力Ｆ（図５）をかけることで、スライド可動体７と上方押圧操作部２５とにより上下方向の確実な挟持圧が確保されるようになっている。
【００２８】
この場合、スライド可動体７の上面７ａと上方押圧操作部２５の押圧作用面となる裏面とに光ファイバ２９を上下から確実に押圧挟持できるよう材質がゴムの弾性部材３５をそれぞれ設けるようにすることが望ましい。
【００２９】
下方操作部３３は、スライド可動体７をスライド移動させる時に親指をかけて使用するもので、スライド可動体７の下面７ｂからホルダフレーム３の底面に設けられた前後に長いガイド孔３７を介して外へ延長された支持アーム３９の延長端に設けられた構造となっている。
【００３０】
一方、光ファイバ用被覆層剥離器１５は、独立して作られていて前記ホルダフレーム３の装着セット部５に固定セット可能となっている。この実施形態ではホチキスタイプに作られた市販品のものが用いられている。
【００３１】
光ファイバ用被覆層剥離器１５は、回動取付軸４１を支点として上下に回動可能な上部アーム部４３と下部アーム部４５とを有し、その内側には上下一対のカッタ刃４７とファイバ受部４９がそれぞれ設けられた構造となっている。
【００３２】
下部アーム部４５には前記した装着セット部５に載置セットした時に取付けボルト１７によって固定支持するためのねじ穴５１が設けられている。このねじ孔５１は、工場において後加工することで設けるようになっている。
【００３３】
上下のカッタ刃４７は、上部アーム部４３と下部アーム部４５が止じ合った時に光ファイバ２９のファイバ芯線（ガラスファイバ）に到達しない被覆層の領域に喰い込み、切れ目を入れる作用をするもので、図３に示すように２種類の径の異なる光ファイバ２９に対応できるよう並列に設けられている。
【００３４】
ファイバ受部４９は、前記カッタ刃４７を挟んで前後に配置され、上端縁にはＶ溝５３を有している。Ｖ溝５３は光ファイバを水平に保持する点に加えて、動くことがないよう位置決めする機能を備え、前記ファイバ支持部材２３のＶ溝２７と同一軸線上に臨む構造となっている。
【００３５】
このように構成された光ファイバ引抜き装置によれば、装着セット部５に光ファイバ用被覆層剥離器を載置セットすることで簡単に固定セットが行なえるようになる。
【００３６】
この場合、光ファイバ用被覆層剥離器を市販品のものを用いることで製造コストが安く抑えられると共にシンプルな構造にできる。
【００３７】
一方、図５に示すように光ファイバ２９をセットした後、光ファイバ用被覆層剥離器１５を片手で持ち、もう片方の手の指で上方押圧操作部２５と下方操作部３３を押え後方へ引き抜くことで、カッタ刃４７によって入れられた切れ目から被覆層が剥離し、ファイバ芯線が露出するようになる。
【００３８】
この動作時、スライド可動体７はホルダフレーム３に沿ってスライド移動するため、光ファイバ２９を屈曲させることなく水平に引き抜くことが可能となる。この結果、光ファイバを傷付けることなく被覆を除去することができる。
【図面の簡単な説明】
【００３９】
【図１】この発明にかかるファイバ引抜き装置の概要切断側面図。
【図２】装着セット部に光ファイバ用被覆層剥離器を固定セットした概要側面図。
【図３】光ファイバ用被覆層剥離器のファイバ受部とスライド可動体のファイバ支持部材とに光ファイバをセットした状態を示す概要平面説明図。
【図４】上方押圧操作部が挟持待機状態の時の概要切断拡大断面図。
【図５】上方押圧操作部が押圧挟持状態の時の概要切断拡大説明図。
【図６】光ファイバ端末部の被覆層を所定の角度で剥離しファイバ芯線を露出させたサンプル用の光ファイバの説明図。
【図７】光ファイバを所定の角度で引き抜く時の説明図。
【図８】引き抜き角度と断線率の関係を示した説明図。
【符号の説明】
【００４０】
３…ホルダフレーム
５…装着セット部
７…スライド可動体
１５…光ファイバ用被覆層剥離器
２３…ファイバ支持部材
２５…上方押圧操作部
２９…光ファイバ
３３…下方操作部
【図１】
2005208487.tif 000003
【図２】
2005208487.tif 000004
【図３】
2005208487.tif 000005
【図４】
2005208487.tif 000006
【図５】
2005208487.tif 000007
【図６】
2005208487.tif 000008
【図７】
2005208487.tif 000009
【図８】
2005208487.tif 000010